(57)【要約】テニス靴のソール５は、ベース７と多数の横筋山９とを備えている。横筋山９の断面形状は非対称である。横筋山９は、接地面１１、爪先側壁面１３及び踵側壁面１５を備えている。踵側壁面１５の傾斜角度θｂは、爪先側壁面１３の傾斜角度θａよりも大きい。両者の差（θｂ−θａ）は、１０°以上６０°以下である。横筋山９の高さＨは、１ｍｍ以上８ｍｍ以下である。ベース７と横筋山９との境界部の距離Ｌ１に対する接地面１１の距離Ｌ２の比（Ｌ２／Ｌ１）は、０．２以上０．８以下である。底面の爪先方向における摩擦係数μａと踵方向における摩擦係数μｂとの比（μａ／μｂ）は、０．３以上０．９以下である。
2004032660.tif 000002
【特許請求の範囲】
【請求項１】
その底面に並列された多数の筋山を備えており、この筋山の横断面形状が非対称であり、この底面の一方向における摩擦係数μａと逆方向における摩擦係数μｂとの比（μａ／μｂ）が０．３以上０．９以下であるテニス靴。
【請求項２】
幅方向に延びる多数の横筋山をその底面に備えており、この横筋山の断面形状が非対称であり、この底面の爪先方向における摩擦係数μａと踵方向における摩擦係数μｂとの比（μａ／μｂ）が０．３以上０．９以下であるテニス靴。
【請求項３】
上記横筋山が、接地面並びにこの接地面に連続する爪先側壁面及び踵側壁面を備えており、爪先側壁面の傾斜角度θａと踵側壁面の傾斜角度θｂとの差（θｂ−θａ）が１０°以上６０°以下である請求の範囲第２項に記載のテニス靴。
【請求項４】
上記横筋山の高さが１ｍｍ以上８ｍｍ以下である請求の範囲第２項又は第３項に記載のテニス靴。
【請求項５】
長さ方向に延びる縦筋山をさらに備えており、底面のうち長さ方向中心よりも爪先側であってかつ幅方向中心よりもアウトサイドの領域には主として横筋山が形成されており、底面のうち長さ方向中心よりも爪先側であってかつ幅方向中心よりもインサイドの領域には主として縦筋山が形成されている請求の範囲第２項から第４項のいずれかに記載のテニス靴。
【請求項６】
その底面に横筋山及び縦筋山を多数備えており、爪先部における全接地面積に占める横筋山の接地面積の比率Ｒ１が４０％以上７０％以下であり、インサイド部における全接地面積に占める縦筋山の接地面積の比率Ｒ２が７０％以上１００％以下であるテニス靴。
【請求項７】
上記横筋山の靴長さ方向断面形状が非対称であり、縦筋山の靴幅方向断面形状が非対称であり、底面と接地面との爪先方向の摩擦係数μａが踵方向への摩擦μｂより小さく、μａとμｂとの比（μａ／μｂ）が０．３以上０．９以下である請求の範囲第６項に記載のテニス靴。
【請求項８】
上記比率Ｒ１が４５％以上６５％以下であり、上記比率Ｒ２が７５％以上９５％以下である請求の範囲第６項又は第７項に記載のテニス靴。
【請求項９】
上記比率Ｒ１が５０％以上６０％以下であり、上記比率Ｒ２が８０％以上９０％以下である請求の範囲第８項に記載のテニス靴。
【発明の詳細な説明】
【技術分野】  本発明は、テニス靴に関する。詳細には、本発明は、テニス靴の底面の改良に関する。
【背景技術】  テニスのラリーでは、プレーヤーは、コートの中を激しく移動しつつストロークを行う。プレーヤーは、相手のストロークからボールの方向を予測し、目標地点に向かって移動する。移動は、足が地面をキックすることで行われる。目標地点に近づくと、プレーヤーはキックを停止してストロークの体勢を整える。この後は、プレーヤーの足は地面とスライドする。短い距離ではあるが、スライドによってプレーヤーの体は前進する。目標地点までの移動の大半はキックによってなされるが、移動の最終段階はスライドによってなされる。目標地点に到達したプレーヤーは、ストロークを行う。次にプレーヤーは体を反転させて地面をキックし、次の目標地点へと移動する。
キックによる移動では、テニス靴と地面とがスリップを起こさないことが好ましい。テニス靴には、防滑性能が要求される。一方、スライドによる移動では、テニス靴と地面とが適度にスリップすることが好ましい。テニス靴には、スライド性能が要求される。特開平７−２１３３０４号公報には、底面の突起の平面形状が工夫されることにより防滑性能とスライド性能とが両立されたテニス靴が開示されている。
上記公報に開示されたテニス靴であっても、防滑性能とスライド性能との両立は十分ではない。本発明の目的は、防滑性能及びスライド性能に優れたテニス靴の提供である。
【発明の開示】
本発明に係るテニス靴は、底面に並列された多数の筋山を備えている。この筋山の横断面形状は、非対称である。この底面の一方向における摩擦係数μａと逆方向における摩擦係数μｂとの比（μａ／μｂ）は、０．３以上０．９以下である。このテニス靴は、一方向におけるスライド性能と、逆方向における防滑性能とに優れる。
他の発明に係るテニス靴は、幅方向に延びる多数の横筋山を底面に備えている。この横筋山の断面形状は非対称である。この底面の爪先方向における摩擦係数μａと踵方向における摩擦係数μｂとの比（μａ／μｂ）は、０．３以上０．９以下である。このテニス靴は、爪先方向におけるスライド性能と、踵方向における防滑性能とに優れる。
横筋山は、接地面並びにこの接地面に連続する爪先側壁面及び踵側壁面を備える。好ましくは、爪先側壁面の傾斜角度θａと踵側壁面の傾斜角度θｂとの差（θｂ−θａ）は、１０°以上６０°以下である。横筋山の好ましい高さは、１ｍｍ以上８ｍｍ以下である。
好ましくは、テニス靴は、横筋山とともに縦筋山を備える。この縦筋山は、長さ方向に延びる。底面のうち長さ方向中心よりも爪先側であってかつ幅方向中心よりもアウトサイドの領域には、主として横筋山が形成される。底面のうち長さ方向中心よりも爪先側であってかつ幅方向中心よりもインサイドの領域には、主として縦筋山が形成される。このテニス靴は、前進時のスライド性能及び防滑性能並びに方向転換時の防滑性能に優れる。
さらに他の発明に係るテニス靴は、その底面に、横筋山及び縦筋山を多数備えている。爪先部における全接地面積に占める横筋山の接地面積の比率Ｒ１は、４０％以上７０％以下である。インサイド部における全接地面積に占める縦筋山の接地面積の比率Ｒ２は、７０％以上１００％以下である。このテニス靴は、防滑性能とスライド性能とに優れる。
好ましくは、横筋山の靴長さ方向断面形状は非対称であり、縦筋山の靴幅方向断面形状も非対称である。底面と接地面との爪先方向の摩擦係数μａは踵方向への摩擦μｂより小さく、μａとμｂとの比（μａ／μｂ）は０．３以上０．９以下である。
好ましくは、比率Ｒ１は４５％以上６５％以下であり、比率Ｒ２は７５％以上９５％以下である。好ましくは、比率Ｒ１は５０％以上６０％以下であり、比率Ｒ２は８０％以上９０％以下である。
【図面の簡単な説明】  第１図は本発明の一実施形態に係るテニス靴が示された側面図であり、
第２図は第１図のテニス靴が示された底面図であり、
第３図は第２図のソールの一部が示された下方からの斜視図であり、
第４図は第２図のソールの一部が示された拡大断面図であり、
第５図は本発明の他の実施形態に係るテニス靴のソールの一部が示された断面図であり、
第６図は本発明のさらに他の実施形態に係るテニス靴のソールの一部が示された断面図であり、
第７図は本発明のさらに他の実施形態に係るテニス靴のソールが示された底面図であり、
第８図は第７図のソールの一部が示された拡大断面図であり、
第９図は、本発明のさらに他の実施形態に係るテニス靴のソールが示された底面図であり、
第１０図は第９図のソールの一部が示された下方からの斜視図であり、
第１１図は第１０図のソールの一部が示された拡大断面図であり、
第１２図は第９図のソールの一部が示された拡大断面図であり、
第１３図は本発明のさらに他の実施形態に係るソールの一部が示された底面図であり、
第１４図は本発明のさらに他の実施形態に係るテニス靴のソールが示された底面図であり、
そして、
第１５図は第１４図のソールの一部が示された拡大底面図である。
【発明を実施するための最良の形態】  以下、適宜図面が参照されつつ、実施形態に基づいて本発明が詳細に説明される。
第１図に示されたテニス靴１は、アッパー３及びソール５を備えている。アッパー３の材質は、既知のテニス靴のアッパーと同等である。ソール５の材質は、既知のテニス靴のソールと同等である。一般的には、ソール５は架橋ゴム又は合成樹脂から構成される。
第２図には、ソール５が示されている。この第２図において上側は爪先側であり、下側は踵側であり、右側はアウトサイドであり、左側はインサイドである。このソール５は、左足用である。右足用のソールは、第２図に示された形状が反転された形状を呈する。
ソール５は、ベース７と多数の横筋山９とを備えている。横筋山９はベース７と一体的に成形されており、ベース７から突出している。横筋山９は、幅方向（第２図における左右方向）に延びている。多数の横筋山９が、所定間隔を隔てて平行に並んでいる。土踏まずに相当する領域には、横筋山９は存在していない。本明細書において横筋山９とはソール５の長さ方向に対して、略直交する方向に延びる筋山を意味する。好ましくは、横筋山９の延びる方向は、ソール５の長さ方向に対して８０°以上１００°以下である。
第３図は第２図のソール５の一部が示された下方からの斜視図であり、第４図はその一部が示された拡大断面図である。これらの図において左側が爪先側であり、右側が踵側である。第３図及び第４図から明らかなように、横筋山９の断面形状は非対称である。横筋山９は、接地面１１、爪先側壁面１３及び踵側壁面１５を備えている。接地面１１は、テニス靴１が着用されたときに地面と接する面である。爪先側壁面１３は接地面１１に連続しており、接地面１１よりも爪先側に位置している。踵側壁面１５は接地面１１に連続しており、接地面１１よりも踵側に位置している。
第４図において両矢印θａで示されているのは、爪先側壁面１３の傾斜角度である。傾斜角度θａは、爪先側壁面１３が水平面Ｇ（地面）に対してなす角度である。第４図において両矢印θｂで示されているのは、踵側壁面１５の傾斜角度である。傾斜角度θｂは、踵側壁面１５が水平面Ｇに対してなす角度である。傾斜角度θｂは、傾斜角度θａよりも大きい。
テニス靴１が地面に置かれ、爪先方向に引っ張られた場合、引っ張りの力は主として爪先側壁面１３にかかる。爪先側壁面１３の傾斜は緩いので、地面と底面との摩擦係数μａは小さい。プレーヤーがシューズをスライドさせる場合、そのスライド方向は爪先方向である。このテニス靴１は摩擦係数μａが小さいので、スライド性能に優れる。このテニス靴１を着用したプレーヤーは、移動からストロークへの移行を円滑に行いうる。スライドは、着地時の衝撃の緩和にも寄与する。
テニス靴１が地面に置かれ、踵方向に引っ張られた場合、引っ張りの力は主として踵側壁面１５にかかる。踵側壁面１５の傾斜はきついので、地面と底面との摩擦係数μｂは大きい。プレーヤーが地面をキックして前進する場合、そのキックの方向は踵方向である。このテニス靴１は摩擦係数μｂが大きいので、キックの際の防滑性能に優れる。
スライド性能と防滑性能との両立の観点から、摩擦係数μａと摩擦係数μｂとの比（μａ／μｂ）は０．９以下が好ましく、０．７以下がより好ましい。比（μａ／μｂ）が小さすぎると爪先方向への意図せぬスリップが生じやすいので、比（μａ／μｂ）は０．３以上が好ましく、０．５以上がより好ましい。
摩擦係数は、以下の（１）及び（２）に示された条件を備えた砂入り人工芝の上で測定される。
（１）パイル
材質：ポリプロピレン
形状：スプリットヤーン
糸：８４００デシテックス
パイルの緯密度（ゲージ）：５／１６インチ間隔
パイルの経密度（ステッチ）：４．８本／インチ
基布表面から葉先までの高さ：１９ｍｍ
（２）充填される砂
種類：乾燥させた粒度調整砂（住友ゴム工業社の商品名「オムニサンドＡ」）
充填量：２５ｋｇ／ｍ２
充填高さ：人工芝の葉先２ｍｍを残すように充填
測定では、上記砂入り人工芝の上でテニス靴１に６００Ｎの鉛直荷重がかけられ、このテニス靴１が所定方向に５０ｃｍ／ｓの速度で引っ張られるように水平方向の力がかけられる。この引っ張りの力がロードセルで検出され、この引っ張りの力が鉛直荷重で除されることにより摩擦係数が算出される。測定は、２０℃の環境下で行われる。
スライド性能と防滑性能との両立の観点から、差（θｂ−θａ）は１０°（ｄｅｇｒｅｅ）以上が好ましく、２０°以上がより好ましい。差（θｂ−θａ）が過大であると爪先方向への意図せぬスリップが生じやすいので、差（θｂ−θａ）は６０°以下が好ましく、５０°以下がより好ましい。傾斜角度θａは、３０°以上７０°以下が好ましい。傾斜角度θｂは、５０°以上９０°以下が好ましい。
横筋山９の高さＨは、１ｍｍ以上８ｍｍ以下が好ましい。高さＨが上記範囲未満であると、防滑性能が不十分となることがある。この観点から、高さＨは２ｍｍ以上がより好ましい。高さＨが上記範囲を超えると、横筋山９の剛性が不足することがある。この観点から、高さＨは６ｍｍ以下がより好ましい。
ベース７と横筋山９との境界部の距離Ｌ１に対する接地面１１の距離Ｌ２の比（Ｌ２／Ｌ１）は、０．２以上０．８以下が好ましい。比（Ｌ２／Ｌ１）が上記範囲未満であると、横筋山９の剛性が不足することがある。この観点から、比（Ｌ２／Ｌ１）は０．３以上がより好ましい。比（Ｌ２／Ｌ１）が上記範囲を超えると、接地圧が不足して防滑性能が不十分となることがある。この観点から、比（Ｌ２／Ｌ１）は０．６以下が特に好ましい。
全ての接地面の合計面積の、底面の投影面積に対する比率は、１５％以上７０％以下が好ましい。比率が上記範囲未満であると、接地面が摩耗しやすい。この観点から、比率は２５％以上がより好ましい。比率が上記範囲を超えると、接地圧が不足して防滑性能が不十分となることがある。この観点から、比率は６０％以下がより好ましい。
第２図に示されたテニス靴１では、筋山９は幅方向に延びているが、筋山が他の方向に延びてもよい。この場合も、筋山と直行する一方向において優れたスライド性能が達成され、逆方向において優れた防滑性能が達成される。
第５図は、本発明の他の実施形態に係るテニス靴のソール１７の一部が示された断面図である。この図には、横筋山１９とベース２１とが示されている。この図において左側が爪先側であり、右側が踵側である。この横筋山１９の断面形状は、非対称である。この横筋山１９は、接地面２３、爪先側壁面２５及び踵側壁面２７を備えている。爪先側壁面２５は、湾曲している。このソール１７は、第２図に示されたソール５と同様に、平行に配置された多数の横筋山１９を備えている。
第５図において二点差線で示されているのは、接地面２３と爪先側壁面２５との境界点Ｐ１と、ベース２１と爪先側壁面２５との境界点Ｐ２とが結ばれた仮想線である。この仮想線と水平線Ｇとのなす角度が、爪先側壁面２５の傾斜角度θａである。このソールにおいても、傾斜角度θａは、３０°以上７０°以下が好ましい。一方、踵側壁面２７傾斜角度θｂは、５０°以上９０°以下が好ましい。スライド性能と防滑性能との両立の観点から、差（θｂ−θａ）は１０°以上が好ましく、２０°以上がより好ましい。差（θｂ−θａ）が過大であると爪先方向への意図せぬスリップが生じやすいので、差（θｂ−θａ）は６０°以下が好ましく、５０°以下がより好ましい。
このソール１７においても、横筋山１９の高さＨは、１ｍｍ以上８ｍｍ以下が好ましい。このソール１７においても、比（Ｌ２／Ｌ１）は、０．２以上０．８以下が好ましい。
このソール１７においても、スライド性能と防滑性能との両立の観点から、摩擦係数μａと摩擦係数μｂとの比（μａ／μｂ）は０．９以下が好ましく、０．７以下がより好ましい。比（μａ／μｂ）が小さすぎると爪先方向への意図せぬスリップが生じやすいので、比（μａ／μｂ）は０．３以上が好ましく、０．５以上がより好ましい。
第６図は、本発明のさらに他の実施形態に係るテニス靴のソール２９の一部が示された断面図である。この図には、横筋山３１とベース３３とが示されている。この図において左側が爪先側であり、右側が踵側である。この横筋山３１の断面形状は、非対称である。この横筋山３１は、接地面３５、爪先側壁面３７及び踵側壁面３９を備えている。この接地面３５は、湾曲している。接地面３５は、第４図に示された横筋山９の接地面１１に比べて狭い。このソール２９は、第２図に示されたソール５と同様に、平行に配置された多数の横筋山３１を備えている。
このソール２９においても、爪先側壁面３７が水平面に対してなす傾斜角度θａは、３０°以上７０°以下が好ましい。一方、踵側壁面３９が水平面に対してなす傾斜角度θｂは、５０°以上９０°以下が好ましい。スライド性能と防滑性能との両立の観点から、差（θｂ−θａ）は１０°以上が好ましく、２０°以上がより好ましい。差（θｂ−θａ）が過大であると爪先方向への意図せぬスリップが生じやすいので、差（θｂ−θａ）は６０°以下が好ましく、５０°以下がより好ましい。
このソール２９においても、横筋山３１の高さＨは、１ｍｍ以上８ｍｍ以下が好ましい。このソール２９においても、比（Ｌ２／Ｌ１）は、０．２以上０．８以下が好ましい。
このソール２９においても、スライド性能と防滑性能との両立の観点から、摩擦係数μａと摩擦係数μｂとの比（μａ／μｂ）は０．９以下が好ましく、０．７以下がより好ましい。比（μａ／μｂ）が小さすぎると爪先方向への意図せぬスリップが生じやすいので、比（μａ／μｂ）は０．３以上が好ましく、０．５以上がより好ましい。
第７図は、本発明のさらに他の実施形態に係るテニス靴のソール４１が示された底面図である。この第７図において上側は爪先側であり、下側は踵側であり、右側はアウトサイドであり、左側はインサイドである。このソール４１は、左足用である。右足用のソールは、第７図に示された形状が反転された形状を呈する。
ソール４１は、ベース４３と、多数の横筋山４５と、多数の縦筋山４７とを備えている。横筋山４５及び縦筋山４７はベース４３と一体的に成形されており、ベース４３から突出している。横筋山４５は、幅方向（第７図における左右方向）に延びている。縦筋山４７は、長さ方向（第７図における上下方向）に延びている。本明細書において縦筋山４７とは、ソール４１の長さの方向に略平行に延びる筋山を意味する。好ましくは、縦筋山４７の延びる方向は、ソール４１の長さ方向に対して−１０°以上１０°以下である。横筋山４５の断面形状及び寸法は、第４図に示された横筋山９の断面形状と同等である。
第８図は、第７図のソール４１の一部が示された拡大断面図である。この第８図には、縦筋山４７が示されている。この第８図において左側がインサイドであり、右側がアウトサイドである。第８図から明らかなように、縦筋山４７は接地面４９、インサイド壁面５１及びアウトサイド壁面５３を備えている。インサイド壁面５１の水平方向に対する傾斜角度θｃは、アウトサイド壁面５３の水平方向に対する傾斜角度θｄよりも緩やかである。
第７図に示されている一点鎖線ＣＬ１は、長さ方向中心線である。中心線ＣＬ１は、ソール４１の輪郭線内に画かれうる最長線分が想定されたとき、この最長線分の中心においてこの最長線分と直交する直線である。仮想線Ｌｉは、最長線分と平行でソール４１のインサイドに接する直線である。仮想線Ｌｏは、最長線分と平行でソール４１のアウトサイドに接する直線である。仮想線Ｌｉと仮想線Ｌｏとの距離は、ソール４１の幅Ｗである。第７図に示されている一点鎖線ＣＬ２は、幅方向中心線である。中心線ＣＬ２は、仮想線Ｌｉ及びＬｏと平行である。
底面のうち中心線ＣＬ１よりも上方であって中心線ＣＬ２よりも右側は、長さ方向中心よりも爪先側であってかつ幅方向中心よりもアウトサイドの領域である。この領域には、主として横筋山４５が形成されている。具体的には、この領域に含まれる全ての筋山４５、４７の接地面積に占める横筋山４５の接地面積は、５０％以上、特には７０％以上である。この領域は、プレーヤーが地面をキックして前進するとき、及び前進しつつテニス靴をスライドさせるときに大きな荷重がかかる領域である。この領域に主として横筋山４５が形成されることにより、スライド性能と防滑性能とが両立される。
底面のうち中心線ＣＬ１よりも上方であって中心線ＣＬ２よりも左側は、長さ方向中心よりも爪先側であってかつ幅方向中心よりもインサイドの領域である。この領域には、主として縦筋山４７が形成されている。具体的には、この領域に含まれる全ての筋山４５、４７の接地面積に占める縦筋山４７の接地面積は、５０％以上、特には７０％以上である。この領域は、プレーヤーが方向転換するときに大きな荷重がかかる領域である。この領域に主として縦筋山４７が形成されることにより、方向転換時の防滑性能が高められる。この防滑性能の向上には、主としてアウトサイド壁面５３が寄与する。インサイド壁面５１の傾斜が緩やかなことに起因して、縦筋山４７では接地面４９の面積が小さい。面積が小さな接地面４９により、接地圧が高められる。大きな接地圧は、防滑性能の向上に寄与する。
インサイド壁面５１が水平面に対してなす傾斜角度θｃは、３０°以上７０°以下が好ましい。一方、アウトサイド壁面５３が水平面に対してなす傾斜角度θｄは、５０°以上９０°以下が好ましい。防滑性能の観点から、差（θｄ−θｃ）は１０°以上が好ましく、２０°以上がより好ましい。差（θｄ−θｃ）は６０°以下が好ましく、５０°以下がより好ましい。
縦筋山４７の高さＨは、１ｍｍ以上８ｍｍ以下が好ましい。ベース４３と縦筋山４７との境界部の距離Ｌ３に対する接地面４９の距離Ｌ４の比（Ｌ４／Ｌ３）は、０．２以上０．８以下が好ましい。
このソール４１においても、スライド性能と防滑性能との両立の観点から、摩擦係数μａと摩擦係数μｂとの比（μａ／μｂ）は０．９以下が好ましく、０．７以下がより好ましい。比（μａ／μｂ）が小さすぎると爪先方向への意図せぬスリップが生じやすいので、比（μａ／μｂ）は０．３以上が好ましく、０．５以上がより好ましい。
このソール４１においても、全ての接地面の合計面積の、底面の投影面積に対する比率は、１５％以上７０％以下が好ましい。比率が上記範囲未満であると、接地面が摩耗しやすい。この観点から、比率は２５％以上がより好ましい。比率が上記範囲を超えると、防滑性能が不十分となることがある。この観点から、比率は６０％以下がより好ましい。
第９図は、本発明のさらに他の実施形態に係るテニス靴のソール５５が示された底面図である。この第９図において上側は爪先側であり、下側は踵側であり、右側はアウトサイドであり、左側はインサイドである。底面のうち中心線ＣＬ１よりも上方の部分は爪先部である。中心線ＣＬ２よりも左側はインサイド部である。このソール５５は、左足用である。右足用のソールは、第９図に示された形状が反転された形状を呈する。
ソール５５は、ベース５７と筋山５９とを備えている。この筋山５９はベース５７と一体的に成形されており、ベース５７から突出している。筋山５９は複数の横筋山６１と縦筋山６３とからなる。横筋山６１は、幅方向に延びている。縦筋山６３は長さ方向に延びている。横筋山６１は、長さ方向に所定間隔を隔てて平行に複数の列をなして並んでいる。縦筋山６３は、幅方向に同様の列をなして並んでいる。
爪先部のアウトサイドには、複数の横筋山６１が並んでいる。爪先部であってかつインサイド部である領域には、主として縦筋山６３が並んでいる。長さ方向中心線ＣＬ１よりも下方には縦筋山６１が平行に並んでいる。土踏まずに相当する領域には、筋山５９は存在していない。
第９図の場合、ソール５５の接地面積は、横筋山６１の接地面積と縦筋山６３の接地面積との合計である。爪先部において、全接地面積に占める横筋山６１の接地面積の比率Ｒ１（％）は、下記数式（Ｉ）で表される。
Ｒ１＝（Ｓｘｔ／（Ｓｘｔ＋Ｓｙｔ））・１００      （Ｉ）
この数式（Ｉ）において、Ｓｘｔは爪先部における横筋山５９の接地面積を表し、Ｓｙｔは爪先部における縦筋山５９の接地面積を表す。比率Ｒ１が４０％以上７０％以下となるように、筋山５９が形成される。このＲ１は、４５％以上６５％以下がより好ましく、５０％以上６０％以下が特に好ましい。
インサイド部において、全接地面積に占める縦筋山６３の接地面積の比率Ｒ２（％）は、下記数式（ＩＩ）で表される。
Ｒ２＝（Ｓｙｉ／（Ｓｘｉ＋Ｓｙｉ））・１００      （ＩＩ）
この数式（ＩＩ）において、Ｓｘｉはインサイド部における横筋山６１の接地面積を表し、Ｓｙｉはインサイド部における縦筋山６３の接地面積を表す。比率Ｒ２が７０％から１００％となるように、筋山５９が形成される。インサイド部には横筋山６１が存在せず、縦筋山６３のみからなる場合もスリップ性能と防滑性能とがよい場合がある。比率Ｒ２は、７５％以上９５％以下がより好ましく、８０％以上９０％以下特に好ましい。
ソールの接地部分に、筋山５９以外のものが含まれる場合がある。例えば、不規則な配列の突起、筒状突起又は商品名等のパターン等が含まれる場合がある。これらの場合は、上記横筋山６１及び縦筋山６３に相当しない部分が除外されて比率Ｒ１及びＲ２が計算される。
このソール５５を備えたテニス靴が用いられると、テニスプレーがよりスムースに行われる。実際のテニスプレーでは、前方向に移動を開始するとき、爪先部で地面がキックされる。その後、移動の最終段階では足全体が接地している。また、横方向に移動するときは、移動の開始時は外足（例えば、右方向に移動するときの左足）のインサイド部で地面がキックされる。
換言すれば、前進時に爪先部に力がかかり、横移動時にインサイド部に力がかかる。さらに、移動の最終段階でスリップしながら停止するときは、底面全体が作用している。このソール５５では、力を受け止める必要のある部分に、力の方向に対して直行方向に筋山５９が配置されている。これにより、防滑性能が高められている。このソール５５では、適切な比率で縦筋山６３が配置されているので、摩擦抵抗が低減されている。これにより、スリップ性能が高められている。
第１０図は、第９図のソール５５の一部が示された下方からの斜視図である。この図には、ベース５７と横筋山６１とが示されている。第１１図は第１０図の一部が示された拡大断面図である。第１０図及び第１１図から明らかなように、横筋山６１の断面形状は非対称である。横筋山６１は、接地面６７、爪先側壁面６９及び踵側壁面７１を備えている。接地面６７は、テニス靴が着用されたときに地面と接する面である。爪先側壁面６９は接地面６７に連続しており、接地面６７よりも爪先側に位置している。踵側壁面７１は接地面６７に連続しており、接地面６７よりも踵側に位置している。
第１１図において、爪先側壁面６９の傾斜角度θａは、踵側壁面７１の傾斜角度θｂよりも小さい。このソール５５は、砂入り人工芝での使用に適している。テニス靴が砂入り人工芝に置かれて爪先方向に引っ張られた場合、引っ張りの力は主として爪先側壁面６９にかかる。爪先側壁面６９の傾斜角度θａは小さいので、地面と底面との摩擦係数μａは小さい。プレーヤーがシューズをスライドさせる場合、そのスライド方向は爪先方向である。このテニス靴は摩擦係数μａが小さいので、スライド性能に優れる。このテニス靴を着用したプレーヤーは、移動からストロークへの移行を円滑に行いうる。スライドは、着地時の衝撃の緩和にも寄与する。
テニス靴が砂入り人工芝に置かれて踵方向に引っ張られた場合、引っ張りの力は主として踵側壁面７１にかかる。踵側壁面７１の傾斜角度θｂは大きいので、地面と底面との摩擦係数μｂは大きい。プレーヤーが地面をキックして前進する場合、そのキックの方向は踵方向である。このテニス靴は摩擦係数μｂが大きいので、キックの際の防滑性能に優れる。
スライド性能と防滑性能との両立の観点から、摩擦係数μａと摩擦係数μｂとの比（μａ／μｂ）は０．９以下が好ましく、０．７以下がより好ましい。比（μａ／μｂ）が小さすぎると爪先方向への意図せぬスリップが生じやすいので、比（μａ／μｂ）は０．３以上が好ましく、０．５以上がより好ましい。
横筋山６１の高さＨは、１ｍｍ以上８ｍｍ以下が好ましい。高さＨが上記範囲未満であると、防滑性能が不十分となることがある。この観点から、高さＨは２ｍｍ以上がより好ましい。高さＨが上記範囲を超えると、横筋山６１の剛性が不足することがある。この観点から、高さＨは６ｍｍ以下がより好ましい。
ベース５７と横筋山６１との境界部の距離Ｌ１に対する接地面１９の距離Ｌ２の比（Ｌ２／Ｌ１）は、０．２以上０．８以下が好ましい。比（Ｌ２／Ｌ１）が上記範囲未満であると、横筋山６１の剛性が不足することがある。この観点から、比（Ｌ２／Ｌ１）は０．３以上がより好ましい。比（Ｌ２／Ｌ１）が上記範囲を超えると、接地圧が不足して防滑性能が不十分となることがある。この観点から、比（Ｌ２／Ｌ１）は０．６以下が特に好ましい。
テニス靴がハードコートで使用される場合の筋山５９の変形挙動は、、砂入り人工芝コートで使用される場合の筋山５９の変形挙動と異なる。ハードコートで使用されるテニス靴の場合は、爪先側壁面の傾斜角度θａが踵側壁面の傾斜角度θｂよりも大きいことが好ましい。
第１２図は、第９図のソール５５の一部が示された拡大断面図である。この図には、ベース５７と縦筋山６３とが示されている。この第１２図において左側がインサイドであり、右側がアウトサイドである。第１２図から明らかなように、縦筋山６３は接地面７３、インサイド壁面７５及びアウトサイド壁面７７を備えている。インサイド壁面７５の傾斜度θｃは、アウトサイド壁面７７の傾斜角度θｄよりも小さい。アウトサイド壁面７７は、方向転換時の防滑性能に寄与する。インサイド壁面７５の傾斜が緩やかなことに起因して、縦筋山６３では接地面７３の面積が小さい。面積が小さな接地面７３により、接地圧が高められる。大きな接地圧は、防滑性能の向上に寄与する。
インサイド壁面７５の傾斜角度θｃは、３０°以上７０°以下が好ましい。一方、アウトサイド壁面７７の傾斜角度θｄは、５０°以上９０°以下が好ましい。防滑性能の観点から、差（θｄ−θｃ）は１０°以上が好ましく、２０°以上がより好ましい。差（θｄ−θｃ）は６０°以下が好ましく、５０°以下がより好ましい。
縦筋山７５の高さＨは、１ｍｍ以上８ｍｍ以下が好ましい。ベース５７と縦筋山６３との境界部の距離Ｌ３に対する接地面７３の距離Ｌ４の比（Ｌ４／Ｌ３）は、０．２以上０．８以下が好ましい。
全ての接地面の合計面積の、底面の投影面積に対する比率は、１５％以上７０％以下が好ましい。比率が上記範囲未満であると、接地面が摩耗しやすい。この観点から、比率は２５％以上がより好ましい。比率が上記範囲を超えると、接地圧が不足して防滑性能が不十分となることがある。この観点から、比率は６０％以下がより好ましい。
第１３図は、本発明のさらに他の実施形態に係るソール７９の一部が示された底面図である。このソール７９も、筋山８１を備えている。この筋山８１は、角錐台状の突起８３と円錐台状の突起８５とからなる。この第１３図から明らかなように、本発明では、複数の突起が連続して筋状を呈する場合、これら突起全体として１つの筋山８１と称される。
第１４図は、本発明のさらに他の実施形態に係るテニス靴のソール９１が示された底面図である。この第１４図において上側は爪先側であり、下側は踵側であり、右側はアウトサイドであり、左側はインサイドである。このソール９１は、左足用である。右足用のソールは、第１４図に示された形状が反転された形状を呈する。ソール９１は、ベース９３と、複数の横筋山９５と、複数の縦筋山９７とを備えている。横筋山９５及び縦筋山９７はベース９３と一体的に成形されており、ベース９３から突出している。横筋山９５は、幅方向に延びている。縦筋山９７は、長さ方向に延びている。
第１５図は、第１４図のソール９１の一部が示された拡大底面図である。この図には、横筋山９５が示されている。第７図における上側が爪先側であり、下側が踵側である。横筋山９５は、接地面の形状が円形である突起９９と、接地面の形状がダンベル状の突起９９とが連続することで形成されている。第１５図には示されていないが、縦筋山９７も、接地面の形状が円形である突起と接地面の形状がダンベル状の突起とが連続することで形成されている（第１４図参照）。横筋山９５は、爪先側に傾斜角度の小さな壁面１０３を備え、踵側に傾斜角度の大きな壁面１０５を備えている。第１５図には示されていないが、縦筋山９７は、傾斜角度の小さな壁面をインサイドに備え、傾斜角度の大きな壁面をアウトサイドに備えている。
このソール９１では、比率Ｒ１は４０％以上７０％以下であり、比率Ｒ２は７０％以上１００％以下である。このソール９１では、爪先方向の摩擦係数μａは踵方向への摩擦μｂより小さい。μａとμｂとの比（μａ／μｂ）は、０．３以上０．９以下である。このソール９１を備えたテニス靴は、防滑性能とスライド性能との両方に優れる。
このソール９１では、横筋山９５と縦筋山９７とが交わる地点で、円弧状の突起１０７が形成されている。円弧状突起１０７により、横筋山９５と縦筋山９７とが滑らかに連続している。このソール９１では、欠けが生じにくい。
【実施例】    ［実験１］
【実施例１】  スチレン−ブタジエン共重合体を基材とするゴム組成物を成形型に投入し、ゴムに架橋反応を起こさせて、ソールを得た。このソールの底面のパターンは、第２図に示されている。このソールには、多数の横筋山が形成されている。この横筋山の傾斜角度θａは３０°であり、傾斜角度θｂは９０°であり、高さＨは３ｍｍであり、（Ｌ２／Ｌ１）は０．２５である。このソールに、エチレン酢酸ビニル共重合体からなるミッドソールと、綿からなるアッパーを取り付けて、実施例１のテニス靴を得た。
［実施例２から３及び比較例１から２］
成形型を変更して下記の表２に示される形状の横筋山を備えたソールを成形した他は実施例１と同様にして、実施例２から３及び比較例１から２のテニス靴を得た。
【実施例４】  成形型を変更して下記の表１に示される形状の横筋山及び縦筋山を備えたソールを成形した他は実施例１と同様にして、実施例４のテニス靴を得た。このソールのパターンは、第７図に示されている。
［実用テスト］
プレーヤーにテニス靴を着用され、砂入り人工芝コート（住友ゴム工業社の商品名「オムニコート」）にてテニスのラリーを行わせた。そして、方向転換の容易さ、スタート時の防滑性能、スライド性能及び脚の疲労感を「１」から「５」の５段階で評価させた。最も評価の高いものを「５」とした。１０名のプレーヤーの評価の平均値が、下記の表１に示されている。表１に示されるように、実施例のアウトソールは、全ての項目において良好な評価結果となっている。
2004032660.tif 000003
［実験２］
【実施例５】  スチレン−ブタジエン共重合体を基材とするゴム組成物を成形型に投入し、このゴム組成物を加硫して、ソールを得た。このソールの底面のパターンは、第９図に示されている。このソールには、複数の横筋山と縦筋山が形成されている。爪先部における筋山の全接地面積に対する横筋山の接地面積比率Ｒ１は５０％であり、インサイド部における筋山の全接地面積に対する縦筋山の接地面積比率Ｒ２は９０％である。このソールに、エチレン酢酸ビニル共重合体からなるミッドソールと、綿からなるアッパーを取り付けて、実施例５のテニス靴を得た。
［実施例６及び比較例４から５］
成形型を変えて下記の表２に示される仕様のソールを成形した他は実施例５と同様にして、実施例６及び比較例４から５のテニス靴を得た。
［比較例３］
市販品の株式会社ニューバランスジャパンから販売されている商品名「ＣＴ５９２」を用意し、比較例３とした。
［実用テスト］
プレーヤーにテニス靴を着用させ、砂入り人工芝コート（住友ゴム工業社の商品名「オムニコート」）にてテニスのラリーを行わせた。そして、前進移動時の防滑性能、横方向移動時の防滑性能及び快適性について、「１」から「５」の５段階で評価させた。最も評価の高いものを「５」とした。１０名のプレーヤーの評価の平均値が、下記の表２に示されている。表２に示されるように、実施例のアウトソールは、全ての項目において良好な評価結果となっている。
2004032660.tif 000004
【産業上の利用可能性】  本発明に係るテニス靴は、種々のコートにおけるプレーに適している。このテニス靴は、摩擦係数が小さなコート（砂入り人工芝コート及びクレーコート）に、より適している。特にこのテニス靴は、砂入り人工芝コートに好適である。このテニス靴は、プレーヤーの競技成績の向上に寄与しうる。
【図１】
2004032660.tif 000005
【図２】
2004032660.tif 000006
【図３】
2004032660.tif 000007
【図４】
2004032660.tif 000008
【図５】
2004032660.tif 000009
【図６】
2004032660.tif 000010
【図７】
2004032660.tif 000011
【図８】
2004032660.tif 000012
【図９】
2004032660.tif 000013
【図１０】
2004032660.tif 000014
【図１１】
2004032660.tif 000015
【図１２】
2004032660.tif 000016
【図１３】
2004032660.tif 000017
【図１４】
2004032660.tif 000018
【図１５】
2004032660.tif 000019
【国際調査報告】
2004032660.tif 000020
2004032660.tif 000021
2004032660.tif 000022
2004032660.tif 000023